(57)【要約】【課題】簡易な構成によって、位置ずれがある場合であっても機器側コネクタと嵌合可能な待ち受けコネクタに係る技術を提供する。【解決手段】ソレノイド１２に取り付けられた機器側コネクタ１０と嵌合可能な待ち受けコネクタ１３であって、嵌合方向に沿って機器側コネクタ１０と嵌合可能なコネクタハウジング２２と、コネクタハウジング２２を保持するホルダ３３と、を備え、ホルダ３３は、嵌合方向と交差する交差方向についてコネクタハウジング２２の両側方に位置して交差方向に弾性変形可能な一対の弾性変形部３５を有し、一対の弾性変形部３５は、コネクタハウジング２２に対して交差方向の力が加えられた時にコネクタハウジング２２に当接して弾性変形するようになっている。【選択図】図１２
2019016480.tif 000002
【特許請求の範囲】
【請求項１】
機器に取り付けられた機器側コネクタと嵌合可能な待ち受けコネクタであって、
嵌合方向に沿って前記機器側コネクタと嵌合可能なコネクタハウジングと、
前記コネクタハウジングを保持するホルダと、を備え、
前記ホルダは、前記嵌合方向と交差する交差方向について前記コネクタハウジングの両側方に位置して前記交差方向に弾性変形可能な一対の弾性変形部を有し、
前記一対の弾性変形部の少なくとも一方は、前記コネクタハウジングに対して交差方向の力が加えられた時に前記コネクタハウジングに当接して弾性変形するようになっている、待ち受けコネクタ。
【請求項２】
前記コネクタハウジングは、前記嵌合方向と交差する方向であって前記交差方向と異なる組み付け方向から、前記ホルダに組み付けられるようになっており、
前記一対の弾性変形部は、前記組み付け方向に沿って延びており、
前記一対の弾性変形部のそれぞれは、前記組み付け方向の後方から前記コネクタハウジングに係止する第１係止部を有する、請求項１に記載の待ち受けコネクタ。
【請求項３】
前記コネクタハウジングは、前記嵌合方向の後方の位置に、前記コネクタハウジングから導出された電線が配される電線配索部を有しており、
前記電線配索部からは前記嵌合方向と交差する方向から前記電線が導出されており、
前記ホルダは、前記電線配索部を前記嵌合方向の後方から前方に向けて押圧する押圧部を有する、請求項１または請求項２に記載の待ち受けコネクタ。
【請求項４】
前記コネクタハウジングは、前記嵌合方向と交差する方向であって前記交差方向と異なる組み付け方向から、前記ホルダに組み付けられるようになっており、
前記一対の弾性変形部は、前記組み付け方向に沿って延びており、
前記一対の弾性変形部のそれぞれは、前記組み付け方向の後方から前記コネクタハウジングに係止する第１係止部を有し、
前記押圧部は、前記組み付け方向の後方から前記電線配索部に係止する第２係止部を有する、請求項３に記載の待ち受けコネクタ。
【発明の詳細な説明】
【技術分野】
【０００１】
本明細書に開示された技術は、待ち受けコネクタに関する。
【背景技術】
【０００２】
待ち受けコネクタとして特許文献１に記載のものが知られている。この待ち受けコネクタは、相手側のレセプタクルハウジングに嵌合可能なプラグハウジングを有する。プラグハウジングは、複数の弾性係合部を有する。このプラグハウジングは、パネル隔壁に設けられた孔部に挿入された状態で、各弾性係合部が孔部の孔縁部に係合することにより、パネル隔壁に対して嵌合方向と直交する方向に移動可能に支持されるようになっている。プラグハウジングは、各弾性係合部が弾性変形することにより、嵌合方向と交差する方向について移動可能になっている。この結果、レセプタクルハウジングとプラグハウジングとの間に嵌合公差による位置ずれがある場合であっても、レセプタクルハウジングとプラグハウジングとが嵌合可能になっている。
【先行技術文献】
【特許文献】
【０００３】
【特許文献１】特開２００５−１９０７２０号公報
【発明の概要】
【発明が解決しようとする課題】
【０００４】
しかしながら上記の構成によれば、パネル隔壁の孔部に相当する構造を有しないものには、上記した技術を適用することができないという問題がある。
【０００５】
本明細書に開示された技術は上記のような事情に基づいて完成されたものであって、簡易な構成によって、位置ずれがある場合であっても機器側コネクタと嵌合可能な待ち受けコネクタに係る技術を提供することを目的とする。
【課題を解決するための手段】
【０００６】
本明細書に開示された技術は、機器に取り付けられた機器側コネクタと嵌合可能な待ち受けコネクタであって、嵌合方向に沿って前記機器側コネクタと嵌合可能なコネクタハウジングと、前記コネクタハウジングを保持するホルダと、を備え、前記ホルダは、前記嵌合方向と交差する交差方向について前記コネクタハウジングの両側方に位置して前記交差方向に弾性変形可能な一対の弾性変形部を有し、前記一対の弾性変形部の少なくとも一方は、前記コネクタハウジングに対して交差方向の力が加えられた時に前記コネクタハウジングに当接して弾性変形するようになっている。
【０００７】
交差方向について、待ち受けコネクタと機器側コネクタとの間に位置ずれが生じた場合、待ち受けコネクタと機器側コネクタとが当接することにより、コネクタハウジングは交差方向の力を受ける。上記の構成によれば、一対の弾性変形部が交差方向に弾性変形することにより、交差方向について待ち受けコネクタと機器側コネクタとの間に位置ずれが生じた場合でも、一対の弾性変形部が位置ずれを吸収するので、待ち受けコネクタと機器側コネクタを円滑に嵌合させることができる。
【０００８】
本明細書に開示された技術の実施態様としては以下の態様が好ましい。
【０００９】
前記コネクタハウジングは、前記嵌合方向と交差する方向であって前記交差方向と異なる組み付け方向から、前記ホルダに組み付けられるようになっており、前記一対の弾性変形部は、前記組み付け方向に沿って延びており、前記一対の弾性変形部のそれぞれは、前記組み付け方向の後方から前記コネクタハウジングに係止する第１係止部を有することが好ましい。
【００１０】
上記の構成によれば、組み付け方向に沿ってコネクタハウジングをホルダに組み付けることができる。
【００１１】
前記コネクタハウジングは、前記嵌合方向の後方の位置に、前記コネクタハウジングから導出された電線が配される電線配索部を有しており、前記電線配索部からは前記嵌合方向と交差する方向から前記電線が導出されており、前記ホルダは、前記電線配索部を前記嵌合方向の後方から前方に向けて押圧する押圧部を有することが好ましい。
【００１２】
上記の構成によれば、電線配索部の嵌合方向の後方の領域には電線が配されていないので、電線配索部を嵌合方向の後方から前方に向けて押圧する押圧部をホルダに設けることができる。この結果、ホルダに保持された状態のコネクタハウジングを、押圧部によって嵌合方向の前方に押圧することにより、コネクタハウジングと機器側コネクタとを確実に嵌合させることができる。
【００１３】
前記コネクタハウジングは、前記嵌合方向と交差する方向であって前記交差方向と異なる組み付け方向から、前記ホルダに組み付けられるようになっており、前記一対の弾性変形部は、前記組み付け方向に沿って延びており、前記一対の弾性変形部のそれぞれは、前記組み付け方向の後方から前記コネクタハウジングに係止する第１係止部を有し、前記押圧部は、前記組み付け方向の後方から前記電線配索部に係止する第２係止部を有する。
【００１４】
上記の構成によれば、第２係止部によって、電線配索部が組み付け方向の後方に移動してホルダから離脱することを抑制することができる。
【発明の効果】
【００１５】
本明細書に開示された技術によれば、位置ずれがある場合であっても、待ち受けコネクタと機器側コネクタとを円滑に嵌合させることができる。
【図面の簡単な説明】
【００１６】
【図１】本実施形態に係る待ち受けコネクタと機器側コネクタとが嵌合した状態を示す斜視図
【図２】待ち受けコネクタと機器側コネクタとが嵌合した状態を示す平面図
【図３】図２におけるＩＩＩ−ＩＩＩ線断面図
【図４】電線配索部にカバーが取り付けられた状態のコネクタハウジングを示す斜視図
【図５】電線配索部にカバーが取り付けられた状態のコネクタハウジングを示す平面図
【図６】電線配索部にカバーが取り付けられた状態のコネクタハウジングを示す右側面図
【図７】電線配索部にカバーが取り付けられた状態のコネクタハウジングを示す左側面図
【図８】電線配索部にカバーが取り付けられた状態のコネクタハウジングを示す背面図
【図９】ホルダを示す正面図
【図１０】ホルダを示す平面図
【図１１】図１０におけるＸＩ−ＸＩ線断面図
【図１２】待ち受けコネクタを示す斜視図
【図１３】待ち受けコネクタを示す正面図
【図１４】待ち受けコネクタを示す平面図
【図１５】図１４におけるＸＶ−ＸＶ線断面図
【図１６】コネクタハウジングの電線配索部にカバーを組み付ける工程を示す分解斜視図
【図１７】ホルダにコネクタハウジングを組み付ける工程を示す分解斜視図
【図１８】機器側コネクタと待ち受けコネクタとの嵌合工程を示す断面図
【図１９】機器側コネクタと待ち受けコネクタとの嵌合工程を示す斜視図
【図２０】機器側コネクタと待ち受けコネクタとの嵌合工程を示す断面図
【図２１】機器側コネクタと待ち受けコネクタとの嵌合工程を示す断面図
【発明を実施するための形態】
【００１７】
＜実施形態１＞
本明細書に開示された技術を、図示しない車両のオートマチックトランスミッションの油圧制御装置に適用した実施形態１を、図１から図２１を参照しつつ説明する。以下の説明においては、Ｚ方向を上方とし、Ｙ方向を前方とし、Ｘ方向を右方とする。また、複数の同一部材については、一の部材にのみ符号を付し、他の部材については符号を省略することがある。
【００１８】
（機器側コネクタ１０）
図１及び図２に示すように、油圧制御装置はバルブボディ１１を備える。このバルブボディ１１には複数のソレノイド１２（機器の一例）が組み込まれる（図１では一つのソレノイド１２が組み込まれている様子が示されている。）。本実施形態に係る待ち受けコネクタ１３は各ソレノイド１２に対応して設けられるが、図１ではそのうちの一つのみが示されており、以下の説明もこの一つのみについて行う。
【００１９】
図３に示すように、バルブボディ１１にはソレノイド１２を組み付けるためのソレノイド組み付け部１４が後方に陥没して形成されている。ソレノイド１２は、略円筒状をなす径大部１５と、径大部１５よりも直径が小さな略円筒形状をなす径小部１６とから構成されている。径大部１５と径小部１６とは、径大部１５の軸線と径小部１６の軸線とが同軸上に揃った状態で、前後方向に並んで形成されている。径小部１６の外径寸法は、ソレノイド組み付け部１４の内径寸法と同じか、やや小さく形成されている。これにより、径小部１６はソレノイド組み付け部１４に挿入可能になっている。
【００２０】
径大部１５の外周面には機器側コネクタ１０が上方に突出して形成されている。機器側コネクタ１０は、径大部１５の外周面から突出するフード部１７を有する。フード部１７は絶縁性の合成樹脂からなる。フード部１７は、径大部１５の軸線と平行に延びると共に後方へ向けて開口する略角筒状をなしている。フード部１７内には雄端子（図示せず）が後方に突出している。この雄端子の前端部は、フード部１７の前壁の内部で径大部１５の径方向内方に屈曲されており、詳細には図示しないが、ソレノイド１２と電気的に接続されている。フード部１７の上面にはロック孔１９が開口し、後述する待ち受けコネクタ１３と機器側コネクタ１０とが正規に嵌合した時に、待ち受けコネクタ１３のロック突部２０がロック孔１９と係止可能となっている。本実施形態では、機器側コネクタ１０は、前方から待ち受けコネクタ１３と嵌合するようになっており、一方、待ち受けコネクタ１３は、後方から機器側コネクタ１０と嵌合するようになっている。すなわち、本実施形態では、前後方向が嵌合方向とされる。
【００２１】
（待ち受けコネクタ１３）
図１２に示すように、待ち受けコネクタ１３は、複数（本実施形態では２つ）の雌端子（図示せず）を収容する複数（本実施形態では２つ）のキャビティ２１を有する、コネクタハウジング２２と、コネクタハウジング２２を保持するホルダ３３と、を備える。コネクタハウジング２２は絶縁性の合成樹脂からなる。各キャビティ２１は前後方向に延びて形成されており、コネクタハウジング２２の前方及び後方に開口している。２つのキャビティ２１は左右方向に並んで形成されている。コネクタハウジング２２の上壁には、上方に突出するロック突部２０が形成されている。
【００２２】
図５に示すように、コネクタハウジング２２の後端部からは、各雌端子に接続された電線２３が後方に導出されている。コネクタハウジング２２の後端部には、後方に突出する電線配索部２４が設けられている。この電線配索部２４の上に、コネクタハウジング２２から導出された電線２３が配索されるようになっている。
【００２３】
図４から図８に示すように、電線配索部２４は、コネクタハウジング２２の底壁から後方に延出されてなる。電線配索部２４は、底壁と、この底壁の後端部から上方に立ち上がる後壁４２と、底壁の左側縁から上方に立ち上がる左側壁と、底壁の右側縁から上方に立ち上がる右側壁と、底壁の前端縁から立ち上がる前壁と、を有する。
【００２４】
左側壁、及び右側壁には、電線配索部２４に電線２３を導入、又は、導出するための、窓部２５が開口されている。電線２３は、電線配索部２４の左側壁又は右側壁に形成された窓部２５を通って、電線配索部２４の左方又は右方へ導出されるようになっている。本実施形態においては、コネクタハウジング２２から導出された２本の電線２３は、電線配索部２４の左方へと導出されている。本実施形態においては、左右方向が、嵌合方向と交差する交差方向の一例となっている。
【００２５】
電線配索部２４の後壁４２には、後壁４２の上端部から下方に凹む凹部２６が形成されている。この凹部２６には、後述するカバー２７の凸部２８が嵌入されるようになっている。
【００２６】
電線配索部２４の前壁の前面には、下端部寄りの部分が後方に凹んだ係止凹部２９が設けられている。この係止凹部２９と、前壁の前面との間に段差部３０が形成されている。この段差部３０に、後述するカバー２７の係止爪３１が下方から当接することにより、カバー２７が電線配索部２４に組み付けられるようになっている。
【００２７】
電線配索部２４の上方は開口されている。この電線配索部２４には、カバー２７が上方から組み付けられるようになっている。このカバー２７が電線配索部２４に組み付けられることにより、電線配索部２４の開口が塞がれるようになっている。カバー２７は、電線配索部２４の底壁と同じ大きさ又はやや大きな上壁と、上壁の前端縁の左右両端部から下方に突出する一対のアーム部３２を有する。アーム部３２は前後方向に弾性変形可能な板状をなしている。アーム部３２の下端部には、後方に突出する係止爪３１が設けられている。
【００２８】
カバー２７の上壁の後端部には、左右方向の略中央位置に、下方に突出する凸部２８が形成されている。この凸部２８は、後方から見て略長方形状をなしている。この凸部２８は、電線配索部２４の後壁４２に形成された凹部２６の口縁部と、同じ大きさか、又はやや小さく形成されている。これにより、凹部２６は凸部２８の内側に嵌入可能になっている。
【００２９】
カバー２７が電線配索部２４の上方から組み付けられることにより、電線配索部２４の内部に配索された電線２３が、カバー２７によって異物から保護されるようになっている。
【００３０】
（ホルダ３３）
図１に示すように、バルブボディ１１の前端部には、合成樹脂製のホルダ３３が取り付けられている。図９から図１１に示すように、ホルダ３３は、底壁と、底壁の後端部から上方に立ち上がる後壁３４（押圧部の一例）と、底壁の左側縁から上方に立ち上がる左側壁と、底壁の右側縁から上方に立ち上がる右側壁と、底壁の前端縁のうち左右両端部寄りの位置から上方に立ち上がる一対の弾性変形部３５を有する。
【００３１】
ホルダ３３は上方に開口して形成されており、コネクタハウジング２２が上方（組み付け方向の一例）からホルダ３３に組み付けられるようになっている。
【００３２】
一対の弾性変形部３５の間隔は、コネクタハウジング２２の左右方向の幅寸法と、同じか、又はやや大きく設定されている。
【００３３】
前方から見てホルダ３３の左側に設けられた弾性変形部３５の上端部寄りの位置には、右方に突出する左側第１係止部３６（第１係止部の一例）が設けられており、右側に設けられた弾性変形部３５の上端部寄りの位置には、左方に突出する右側第１係止部３７（第１係止部の一例）が設けられている。図１２及び図１３に示すように、左側第１係止部３６、及び右側第１係止部３７が上方からコネクタハウジング２２に当接することにより、コネクタハウジング２２がホルダ３３から上方へ抜けることを抑制できるようになっている。
【００３４】
図１３に示すように、左側第１係止部３６、及び右側係止部の下端部と、底壁との上下方向の間隔は、コネクタハウジング２２を底壁に載置した時の、コネクタハウジング２２の上面の、底壁からの上下方向の高さ寸法と、同じか、やや大きく設定されている。
【００３５】
ホルダ３３の後壁３４には、左右方向の略中央位置に、上下方向に延びると共に後方に凹んだ凹溝３８が形成されている。この凹溝３８の下方に、底壁の後端部から上方に延びるアーム部３９が設けられている。アーム部３９は、前後方向に弾性変形可能に形成されている。アーム部３９の上端部には、前方に突出する第２係止部４０が設けられている。第２係止部４０が上方から電線配索部２４に当接することにより、電線配索部２４がホルダ３３から上方へ抜けることを抑制できるようになっている。
【００３６】
図１５に示すように、第２係止部４０の下端部の、底壁との上下方向の間隔は、コネクタハウジング２２を底壁に載置した状態における、カバー２７の上壁の上面と、底壁との上下方向の高さ寸法と、同じか、又はやや大きく設定されている。
【００３７】
ホルダ３３の左側壁、及び右側壁には、それぞれ、ホルダ側窓部４１が開口されている。ホルダ側窓部４１は、電線配索部２４の左側壁、及び右側壁に形成された窓部２５よりも大きく形成されている。このホルダ側窓部４１に、電線２３が挿通されるようになっている。
【００３８】
（本実施形態に係るコネクタ構造の組み付け工程）
続いて、本実施形態に係るコネクタ構造の組み付け工程の一例について説明する。コネクタ構造の組み付け工程は以下の記載に限定されない。
【００３９】
まず、電線２３の端末に雌端子を、圧着、溶接、半田付け等の公知の手法により接続する。電線２３が接続された雌端子を、コネクタハウジング２２のキャビティ２１内に、後方から挿入する。コネクタハウジング２２の後端から導出された電線２３を、電線配索部２４において、左方に屈曲させ、電線配索部２４の左側に形成された窓部２５から左方（嵌合方向と交差する方向）に導出する。
【００４０】
図１６に示すように、電線配索部２４に、上方からカバー２７を組み付ける。すると、アーム部３２の係止爪３１が上方から電線配索部２４の前壁の上端縁に当接する。更にカバー２７を下方に押圧すると、アーム部３２が前方に弾性変形し、係止爪３１が電線配索部２４の前壁の前面に乗り上げる。更にカバー２７を下方に押圧することにより、係止爪３１は、電線配索部２４の前壁に形成された係止凹部２９内に移動する。すると、アーム部３２が復帰変形して、係止爪３１が係止凹部２９内に収容される。この結果、係止爪３１が段差部３０に下方から当接することにより、カバー２７が上方に外れることが抑制される。また、このとき、カバー２７の凸部２８は電線配索部２４の後壁４２に設けられた凹部２６に嵌入する。
【００４１】
電線配索部２４にカバー２７を組み付けることにより、コネクタハウジング２２から後方に導出された電線２３は、カバー２７によって覆われるようになっている。
【００４２】
次に、図１７に示すように、ホルダ３３に対して、カバー２７が取り付けられたコネクタハウジング２２を上方から組み付ける。すると、ホルダ３３に形成された左側第１係止部３６及び右側第１係止部３７が、下方からコネクタハウジング２２に当接する。これにより、一対の弾性変形部３５が左右方向について拡開変形する。また、ホルダ３３に設けられた第２係止部４０が、下方から電線配索部２４に当接する。これにより、アーム部３９が後方に弾性変形する。
【００４３】
更に、カバー２７が取り付けられたコネクタハウジング２２を下方に押圧すると、左側第１係止部３６及び右側第１係止部３７がコネクタハウジング２２を乗り越えると共に、第２係止部４０が電線配索部２４を乗り越える。これにより、一対の弾性変形部３５と、アーム部３９とが復帰変形する。すると、左側第１係止部３６及び右側第１係止部３７がコネクタハウジング２２に上方から当接することにより、コネクタハウジング２２がホルダ３３から上方に抜けることを抑制することができる。また、第２係止部４０が電線配索部２４に上方から当接することにより、電線配索部２４がホルダ３３から上方に抜けることを抑制することができる。
【００４４】
続いて、図１８に示すように、バルブボディ１１のソレノイド組み付け部１４を前方に向けて配置すると共に、ソレノイド組み付け部１４の前方に、ソレノイド１２の径小部１６が位置するように配置する。次いで、バルブボディ１１を前方に移動させることにより、ソレノイド組み付け部１４の内部に、ソレノイド１２の径小部１６を収容する。
【００４５】
このとき、待ち受けコネクタ１３と、機器側コネクタ１０との嵌合動作が行われる。まず、バルブボディ１１が前方に移動することにより、待ち受けコネクタ１３が全体として前方に移動する。
【００４６】
更に、バルブボディ１１を前方に移動させると、コネクタハウジング２２が前方に移動し、コネクタハウジング２２の前端が機器側コネクタ１０のフード部１７の後端部（開口端部）と後方から当接する（図１９及び図２０参照）。このとき、コネクタハウジング２２と、機器側コネクタ１０のフード部１７とが、左右方向について位置ずれしていた場合、コネクタハウジング２２に対しては、左右方向のいずれか一方の力が加わる。
【００４７】
すると、コネクタハウジング２２の左右両側に配された一対の弾性変形部３５のいずれか一方と、コネクタハウジング２２とが当接する。これにより、一対の弾性変形部３５の少なくとも一方は左右方向について拡開する方向に弾性変形する。この結果、一対の弾性変形部３５によって、コネクタハウジング２２と機器側コネクタ１０のフード部１７との位置ずれが吸収されるようになっている。
【００４８】
上記のように、コネクタハウジング２２と機器側コネクタ１０のフード部１７との、左右方向の位置ずれが解消された状態で、更にバルブボディ１１を前方に押圧すると、コネクタハウジング２２が機器側コネクタ１０のフード部１７内に収容される。すると、図２１に示すように、コネクタハウジング２２のロック突部２０がフード部１７の後端部に後方から当接する。これにより、コネクタハウジング２２が前方に移動することが抑制されるので、バルブボディ１１に取り付けられたホルダ３３の後壁３４が、後方から、電線配索部２４の後壁４２に当接する。更にバルブボディ１１を前方に押し込むと、コネクタハウジング２２のロック突部２０がフード部１７のロック孔１９に係止して、コネクタハウジング２２と機器側コネクタ１０との嵌合状態が保持される（図３参照）。
【００４９】
（本実施形態の作用、効果）
続いて、本実施形態の作用効果について説明する。本実施形態は、ソレノイド１２に取り付けられた機器側コネクタ１０と嵌合可能な待ち受けコネクタ１３であって、嵌合方向に沿って機器側コネクタ１０と嵌合可能なコネクタハウジング２２と、コネクタハウジング２２を保持するホルダ３３と、を備え、ホルダ３３は、嵌合方向と交差する交差方向についてコネクタハウジング２２の両側方に位置して交差方向に弾性変形可能な一対の弾性変形部３５を有し、一対の弾性変形部３５の少なくとも一方は、コネクタハウジング２２に対して交差方向の力が加えられた時にコネクタハウジング２２に当接して弾性変形するようになっている。
【００５０】
交差方向について、待ち受けコネクタ１３と機器側コネクタ１０との間に位置ずれが生じた場合、待ち受けコネクタ１３と機器側コネクタ１０とが当接することにより、コネクタハウジング２２は交差方向の力を受ける。上記の構成によれば、一対の弾性変形部３５が交差方向に弾性変形することにより、交差方向について待ち受けコネクタ１３と機器側コネクタ１０との間に位置ずれが生じた場合でも、一対の弾性変形部３５が位置ずれを吸収するので、待ち受けコネクタ１３と機器側コネクタ１０を円滑に嵌合させることができる。
【００５１】
また、本実施形態によれば、コネクタハウジング２２は、嵌合方向と交差する方向であって交差方向と異なる組み付け方向から、ホルダ３３に組み付けられるようになっており、一対の弾性変形部３５は、前記組み付け方向に沿って延びており、一対の弾性変形部３５のそれぞれは、組み付け方向の後方からコネクタハウジング２２に係止する左側第１係止部３６及び右側第１係止部３７を有する。上記の構成によれば、組み付け方向に沿ってコネクタハウジング２２をホルダ３３に組み付けることができる。
【００５２】
また、本実施形態によれば、コネクタハウジング２２は、嵌合方向の後方の位置に、コネクタハウジング２２から導出された電線２３が配される電線配索部２４を有しており、電線配索部２４からは嵌合方向と交差する方向から電線２３が導出されており、ホルダ３３は、電線配索部２４を嵌合方向の後方から前方に向けて押圧する後壁３４を有する。上記の構成によれば、電線配索部２４の嵌合方向の後方の領域には電線２３が配されていないので、電線配索部２４を嵌合方向の後方から前方に向けて押圧する後壁３４をホルダ３３に設けることができる。この結果、ホルダ３３に保持された状態のコネクタハウジング２２を、後壁３４によって嵌合方向の前方に押圧することにより、コネクタハウジング２２と機器側コネクタ１０とを確実に嵌合させることができる。
【００５３】
また、本実施形態によれば、一対の弾性変形部３５は、組み付け方向に沿って延びており、一対の弾性変形部３５のそれぞれは、組み付け方向の後方からコネクタハウジング２２に係止する左側第１係止部３６及び右側第１係止部３７を有し、押圧部は、組み付け方向の後方から電線配索部２４に係止する第２係止部４０を有する。上記の構成によれば、第２係止部４０によって、電線配索部２４が組み付け方向の後方に移動してホルダ３３から離脱することを抑制することができる。
【００５４】
＜他の実施形態＞
本明細書に開示された技術は上記記述及び図面によって説明した実施形態に限定されるものではなく、例えば次のような実施形態も本明細書に開示された技術の技術的範囲に含まれる。
【００５５】
（１）本実施形態においては、弾性変形部３５は上下方向（組み付け方向）に沿って延びる構成としたが、これに限られず、弾性変形部３５は前後方向（嵌合方向）に沿って延びる構成であってもよく、任意の形状と採用することができる。
【００５６】
（２）本実施形態は、待ち受けコネクタ１３を車両のオートマチックトランスミッションの油圧制御装置に適用した構成としたが、これに限られず、待ち受けコネクタ１３は、任意のコネクタ構造に適用することができる。
【００５７】
（３）電線配索部２４は省略してもよい。
【００５８】
（４）電線２３は、コネクタハウジング２２の後方から導出される構成としてもよく、また、コネクタハウジング２２のいずれの方向から導出されてもよい。
【００５９】
（５）本実施形態では、ホルダ３３の後壁３４を押圧部とする構成としたが、これに限られず、押圧部は他の部材に設ける構成としてもよい。また、押圧部を省略してもよい。
【００６０】
（６）左側第１係止部３６及び右側第１係止部３７は省略してもよい。また、第２係止部４０は省略してもよい。
【００６１】
（７）コネクタハウジング２２に収容される雌端子は、１つでもよく、また、３つ以上であってもよい。
【符号の説明】
【００６２】
１０：機器側コネクタ
１２：ソレノイド
１３：待ち受けコネクタ
２２：コネクタハウジング
２３：電線
２４：電線配索部
３３：ホルダ
３４：後壁
３５：弾性変形部
３６：左側第１係止部
３７：右側第１係止部
４０：第２係止部
【図１】
2019016480.tif 000003
【図２】
2019016480.tif 000004
【図３】
2019016480.tif 000005
【図４】
2019016480.tif 000006
【図５】
2019016480.tif 000007
【図６】
2019016480.tif 000008
【図７】
2019016480.tif 000009
【図８】
2019016480.tif 000010
【図９】
2019016480.tif 000011
【図１０】
2019016480.tif 000012
【図１１】
2019016480.tif 000013
【図１２】
2019016480.tif 000014
【図１３】
2019016480.tif 000015
【図１４】
2019016480.tif 000016
【図１５】
2019016480.tif 000017
【図１６】
2019016480.tif 000018
【図１７】
2019016480.tif 000019
【図１８】
2019016480.tif 000020
【図１９】
2019016480.tif 000021
【図２０】
2019016480.tif 000022
【図２１】
2019016480.tif 000023